(57)【要約】【課題】施工コストを低減することができる構造物及び該構造物に用いられる位置決め部品を提供する。【解決手段】屋外構造物１０は、縦枠２０に取り付けられた位置決め部品４０を備える。位置決め部品４０は、縦枠２０の側面２０ａから突出するように設けられ、縦枠２０の側面２０ａと根太掛け材２４との位置関係を上下方向で規制した第１位置決め部４３と、縦枠２０の正面２０ｂから突出するように設けられ、縦枠２０の正面２０ｂと妻梁３６との位置関係を水平方向で規制した第２位置決め部４４と、を有する。【選択図】図２
2020060039.tif 000002
【特許請求の範囲】
【請求項１】
縦材の側面に第１の横材が位置決めされ、前記縦材の正面に第２の横材が位置決めされた構造物であって、
前記縦材に取り付けられた位置決め部品を備え、
前記位置決め部品は、前記縦材の側面から突出するように設けられ、前記縦材の側面と前記第１の横材との位置関係を上下方向で規制した第１位置決め部と、
前記縦材の正面から突出するように設けられ、前記縦材の正面と前記第２の横材との位置関係を水平方向で規制した第２位置決め部と、を有することを特徴とする構造物。
【請求項２】
請求項１に記載の構造物であって、
前記位置決め部品は、前記縦材に形成された取付穴に対して挿入され、係止された取付片を有することを特徴とする構造物。
【請求項３】
請求項２に記載の構造物であって、
前記縦材及び前記第２の横材は、左右一対設けられており、
前記第１の横材は、前記左右一対の縦材の互いに対向する側面間に亘って設けられており、
前記左右一対の第２の横材のうちの一方は、前記左右一対の縦材のうちの一方の正面に位置決めされると共に、前記左右一対の第２の横材のうちの他方は、前記左右一対の縦材のうちの他方の正面に位置決めされており、
前記取付穴は、各縦材の正面の左右端部にそれぞれ形成されることで、各縦材にそれぞれ一対形成されており、
前記位置決め部品は、各縦材に形成された前記一対の取付穴のうち、前記第１の横材が位置決めされた側面側に位置した取付穴に対して選択的に取り付けられていることを特徴とする構造物。
【請求項４】
請求項３に記載の構造物であって、
前記一対の取付穴のうち、前記位置決め部品が取り付けられていない取付穴は、前記第２の横材によって覆われていることを特徴とする構造物。
【請求項５】
請求項１〜４のいずれか１項に記載の構造物であって、
前記縦材の正面には、該正面から突出したブラケットが設けられており、
前記第２の横材は、その小口に前記ブラケットが挿入された状態で、該ブラケットに対してねじ止めされており、
前記第２位置決め部と前記ブラケットとの間となる位置に、前記第２の横材の一壁部が配置されていることを特徴とする構造物。
【請求項６】
請求項５に記載の構造物であって、
前記第２位置決め部の先端部には、該第２位置決め部の前記正面からの突出方向に向かって次第に前記一壁部から離間する方向へと傾斜した傾斜面が設けられていることを特徴とする構造物。
【請求項７】
請求項１〜６のいずれか１項に記載の構造物であって、
当該構造物は、建物の外壁から張り出すように設けられ、内部空間が屋根材と囲い材とで屋外から仕切られた屋外構造物であり、
前記第１の横材は、前記建物に対して固定される根太掛け材であり、
前記第２の横材は、前記縦材の正面から突き出すように設けられた妻梁であることを特徴とする構造物。
【請求項８】
側面に第１の横材が位置決めされ、正面に第２の横材が位置決めされる縦材に取り付けて用いられる位置決め部品であって、
前記縦材に取り付けた場合に、前記縦材の側面から突出するように設けられ、前記縦材の側面と前記第１の横材との位置関係を上下方向で規制可能な第１位置決め部と、
前記縦材に取り付けた場合に、前記縦材の正面から突出するように設けられ、前記縦材の正面と前記第２の横材との位置関係を水平方向で規制可能な第２位置決め部と、を有することを特徴とする位置決め部品。
【発明の詳細な説明】
【技術分野】
【０００１】
本発明は、縦材に対して少なくとも２本の横材を位置決めした構造物及び該構造物に用いられる位置決め部品に関する。
【背景技術】
【０００２】
住宅や店舗等の建物には、テラスやバルコニー等を囲むように建物の外壁から張り出したサンルーム等の屋外構造物が設けられることがある。このような構造物は、支柱となる縦材と横方向の根太掛け材とを建物の躯体に固定し、これら縦材と根太掛け材に妻梁や桁、根太等を取り付けた骨格を有する構成が一般的である（例えば特許文献１参照）。
【先行技術文献】
【特許文献】
【０００３】
【特許文献１】実開平５−２８８６０号公報
【発明の概要】
【発明が解決しようとする課題】
【０００４】
上記のような構造物は、その施工時、縦材と根太掛け材との間の取付位置を調整し、さらに縦材と妻梁との間の取付位置を調整する必要がある。この点、上記特許文献１には、縦材と根太掛け材とを位置決めする位置決め部品は開示されているが、縦材と妻梁との間の位置決めに関する構成は提案がない。そこで、例えば根太掛け材と妻梁の位置決めのために２つの位置決め部品を縦枠に取り付けることも考えられる。しかしながら位置決め部品が増加すると、部品コストや作業コストが増加するため、構造物の施工コストが増加することになる。
【０００５】
本発明は、上記従来技術の課題を考慮してなされたものであり、施工コストを低減することができる構造物及び該構造物に用いられる位置決め部品を提供することを目的とする。
【課題を解決するための手段】
【０００６】
本発明に係る構造物は、縦材の側面に第１の横材が位置決めされ、前記縦材の正面に第２の横材が位置決めされた構造物であって、前記縦材に取り付けられた位置決め部品を備え、前記位置決め部品は、前記縦材の側面から突出するように設けられ、前記縦材の側面と前記第１の横材との位置関係を上下方向で規制した第１位置決め部と、前記縦材の正面から突出するように設けられ、前記縦材の正面と前記第２の横材との位置関係を水平方向で規制した第２位置決め部と、を有することを特徴とする。
【０００７】
また、本発明に係る位置決め部品は、側面に第１の横材が位置決めされ、正面に第２の横材が位置決めされる縦材に取り付けて用いられる位置決め部品であって、前記縦材に取り付けた場合に、前記縦材の側面から突出するように設けられ、前記縦材の側面と前記第１の横材との位置関係を上下方向で規制可能な第１位置決め部と、前記縦材に取り付けた場合に、前記縦材の正面から突出するように設けられ、前記縦材の正面と前記第２の横材との位置関係を水平方向で規制可能な第２位置決め部と、を有することを特徴とする。
【発明の効果】
【０００８】
本発明によれば、構造物の施工コストを低減することができる。
【図面の簡単な説明】
【０００９】
【図１】本発明の一実施形態に係る屋外構造物の斜視図である。
【図２】左側の縦枠、根太掛け材及び左側の妻梁の取付部を拡大した斜視図である。
【図３】図３（Ａ）は、位置決め部品の斜視図であり、図３（Ｂ）は、図３（Ａ）に示す位置決め部品を別角度から見た斜視図である。
【図４】図４（Ａ）は、図３（Ａ）に示す位置決め部品の側面図であり、図４（Ｂ）は、図４（Ａ）中のＩＶＢ−ＩＶＢ線に沿う断面図である。
【図５】左右の縦枠に位置決め部品を取り付ける動作を示す分解斜視図である。
【図６】図６（Ａ）は、位置決め部品を用いて縦枠を根太掛け材に位置決めする動作を示す分解斜視図であり、図６（Ｂ）は、位置決め部品を用いて縦枠を根太掛け材に位置決めした状態を示す斜視図である。
【図７】位置決め部品を用いて妻梁を縦枠に位置決めする動作を示す分解斜視図である。
【図８】縦枠と根太掛け材と妻梁との取付部を拡大した横断面図である。
【図９】縦枠と根太掛け材と妻梁との取付部を拡大した縦断面図である。
【発明を実施するための形態】
【００１０】
以下、本発明に係る構造物について好適な実施の形態を挙げ、添付の図面を参照しながら詳細に説明する。
【００１１】
図１に示すように、本実施形態の屋外構造物１０は、住宅や店舗等の建物の外壁１１から張り出したテラス或いはバルコニーを囲むサンルームであり、テラス囲い或いはバルコニー囲いと呼ばれるものである。屋外構造物１０は、外壁１１の開口部に設置された窓や扉を通って、或いは前面に開閉可能に設置された前面窓１２を通って内部空間Ｓに出入り可能である。本発明は、屋外構造物以外の構造物に利用してもよい。
【００１２】
以下、外壁１１に対面するように屋外構造物１０を見た方向を正面とし、正面から見て屋外構造物１０の手前側を前、奥側を後、上方を上、下方を下、左方を左、右方を右、と呼んで説明する。また各図においては、左右方向を矢印Ｘで示し、前後方向を矢印Ｙで示し、上下方向を矢印Ｚで示す。
【００１３】
図１に示すように、屋外構造物１０は、その骨格となる複数の構造材によって前面窓１２、左右一対の側面窓１４，１５、屋根材１６、及び床材１８を支持した構造である。屋外構造物１０の内部空間Ｓは、屋根材１６と、前面窓１２及び側面窓１４，１５と、床材１８とによって屋外から仕切られている。屋外構造物１０の骨格となる構造材は、左右一対の縦枠（縦材）２０，２１と、垂木掛け材２２と、根太掛け材（横材）２４と、左右一対の柱２６，２７と、前枠２８と、桁３０と、左右一対の妻垂木３２，３３と、左右一対の腕木３４，３５と、左右一対の妻梁（横材）３６，３７とを有する。これら構造材は、例えばアルミニウムやスチール等で形成された形材である。
【００１４】
縦枠２０，２１は、上下方向に沿って延在した枠材である。縦枠２０，２１は、建物の外壁１１に当接配置された状態で躯体３８にねじ止め固定されている（図８及び図９参照）。垂木掛け材２２は、左右方向に沿って延在した枠材である。垂木掛け材２２は、縦枠２０，２１の上端部間に亘るようにして躯体３８にねじ止め固定され、妻垂木３２，３３の後端部間を連結している。根太掛け材２４は、左右方向に沿って延在した枠材である。根太掛け材２４は、建物の外壁１１に当接配置された状態で躯体３８にねじ止め固定されている（図８及び図９参照）。根太掛け材２４は、縦枠２０，２１の下端部間に亘って設けられている。
【００１５】
柱２６，２７は、前枠２８の左右端部から垂下され、地面或いは建物の屋根等に着地した角柱状部材である。前枠２８は、左右方向に沿って延在した枠材である。前枠２８は、柱２６，２７の上端部間、妻垂木３２，３３の前端部間、及び腕木３４，３５の前端部間を連結している。桁３０は、左右方向に沿って延在した枠材である。桁３０は、柱２６，２７の下部間、妻梁３６，３７の前端部間を連結している。妻垂木３２，３３は、縦枠２０，２１の上端部から前方に向かって突出し、前側が下方に湾曲した前後方向の横材である。腕木３４，３５は、前後方向に沿って延在した枠材である。腕木３４，３５は、妻垂木３２，３３の下方となる位置で縦枠２０，２１から前方に向かって突出している。妻梁３６，３７は、前後方向に沿って延在した枠材である。妻梁３６，３７は、縦枠２０，２１の下端部から前方に向かって突出している。
【００１６】
図２に示すように、左側の縦枠２０、根太掛け材２４の左端部、及び左側の妻梁３６の取付部には、位置決め部品４０が用いられている。位置決め部品４０は、右側の縦枠２１、根太掛け材２４の右端部、及び右側の妻梁３７の取付部にも同様に用いられている（図５参照）。以下では、左側の取付部及び位置決め部品４０の具体的な構成を代表的に説明する。
【００１７】
図２に示すように、位置決め部品４０は、縦枠２０に取り付けられている。位置決め部品４０は、縦枠２０の内側の側面２０ａと根太掛け材２４の左端部とを位置決めし、さらに縦枠２０の正面２０ｂと妻梁３６の後端部とを位置決めしている。図２中にかっこ書きの参照符号で示すように、右側の縦枠２１に取り付けられた位置決め部品４０は、縦枠２１の内側の側面２１ａと根太掛け材２４の右端部とを位置決めし、さらに縦枠２１の正面２１ｂと妻梁３７の後端部とを位置決めするものである（図１及び図５も参照）。
【００１８】
次に、位置決め部品４０の具体的な構成例を説明する。図３（Ａ）〜図４（Ｂ）に示すように、位置決め部品４０は、平面視略Ｊ字状且つ側面視略Ｔ字状に形成された部品であり、例えば樹脂材料を成形したものである。位置決め部品４０は、本体部４１と、上下一対の第１位置決め部４２，４３と、第２位置決め部４４と、取付片４５とを有する。
【００１９】
本体部４１は、前後方向に沿った平板の前縁部及び上下縁部を一側方に屈曲させて壁部を設けた形状である。
【００２０】
第１位置決め部４２，４３は、本体部４１の後端部からそれぞれ上方及び下方に突出したブロック状の突起である。第１位置決め部４２は、本体部４１の上壁４１ａの後端側を上方に膨出させた形状である。第１位置決め部４３は、本体部４１の下壁４１ｂの後端側を下方に膨出させた形状である。第１位置決め部４２，４３は、その左右方向の厚みが本体部４１と同一である。後述するように本実施形態では、１種類の位置決め部品４０を左右の縦枠２０，２１に兼用するために、上下一対の第１位置決め部４２，４３を設けている。位置決め部品４０は、左右の縦枠２０，２１のそれぞれに適した専用品を用いる場合、第１位置決め部４２，４３は一方のみを設ければよい。
【００２１】
第２位置決め部４４は、本体部４１の上壁４１ａ及び下壁４１ｂの前端側を一側方に膨出させたブロック状の突起である。第２位置決め部４４は、本体部４１の端面４１ｃから一側方に張り出している。すなわち、本体部４１の上壁４１ａ及び下壁４１ｂの各端面４１ｃは、本体部４１から第１位置決め部４２，４３まで延在している。第２位置決め部４４は、この端面４１ｃの前側に設けられると共に、上下の端面４１ｃ，４１ｃ間を繋ぐように架け渡された態様で端面４１ｃから一側方に膨出している。これにより、各壁４１ａ，４１ｂの各端面４１ｃと、ここから張り出した第２位置決め部４４の位置決め面４４ａとの間の段差部分に形成された後向きの面が、縦枠２０（２１）の正面２０ｂ（２１ｂ）に対する当接面４６となる。第２位置決め部４４は、上壁４１ａと下壁４１ｂとの間を繋ぐ上下方向の位置決め面４４ａと、位置決め面４４ａの前側に設けられたガイド面４４ｂとを有する。位置決め面４４ａの中央部には、切欠部４４ｃが形成されている。ガイド面４４ｂは、前方に向かって次第に一側方（図４（Ｂ）中の下側）から他側方（図４（Ｂ）中の上側）に傾斜した傾斜面である。具体的には、図８に示す位置決め部品４０の縦枠２０（２１）への取付状態において、ガイド面４４ｂは後側から前側に向かって次第に妻梁３６（３７）から離間する方向に傾斜している。第２位置決め部４４は、その上下方向の厚みが本体部４１と同一である。
【００２２】
取付片４５は、切欠部４４ｃの前側の内壁面から後方に突出するように設けられた片持ち構造のフック状の板片であり、切欠部４４ｃ内で左右方向に弾性変位可能である。取付片４５の先端（後端）は、切欠部４４ｃから後方に突出しており、当接面４６よりも後方に張り出している。取付片４５の先端には、左側に突出した係止突起４５ａが形成されている。取付片４５の先端部は、切欠部４４ｃを跨いで当接面４６から後方に突出した側面視略Ｕ字状のガイドポスト４８で囲まれている。
【００２３】
本実施形態の場合、左右の縦枠２０，２１を兼用可能とし、左右の縦枠２０，２１を反対に設置する間違い（勝手違い）を防いでいる。そこで、左側の縦枠２０は、その正面２０ｂに左右一対の取付穴２０ｃ，２０ｄが形成され、右側の縦枠２１は、その正面２１ｂに左右一対の取付穴２１ｃ，２１ｄが形成されている（図５参照）。これら取付穴２０ｃ，２０ｄ，２１ｃ，２１ｄは、位置決め部品４０の装着用の穴であり、取付片４５及びガイドポスト４８を挿入可能且つ係止可能である。取付穴２０ｃは、正面２０ｂの左端部に形成され、取付穴２０ｄは、正面２０ｂの右端部に形成されている。取付穴２１ｃは、正面２１ｂの左端部に形成され、取付穴２０ｄは、正面２１ｂの右端部に形成されている。
【００２４】
次に、位置決め部品４０を用いた縦枠２０，２１、根太掛け材２４及び妻梁３６，３７の位置決め構造及びその施工手順の一例を説明する。
【００２５】
縦枠２０，２１と根太掛け材２４と妻梁３６，３７とを取り付ける場合は、先ず、根太掛け材２４を所定のねじ５０（図６及び図９参照）を用いて建物の躯体３８に固定する。続いて、図５に示すように、左右の縦枠２０，２１のそれぞれに位置決め部品４０を装着する。位置決め部品４０は、縦枠２０，２１の互いの対向する内側の側面２０ａ，２１ａ側の取付穴２０ｄ，２１ｃを用いて装着される。
【００２６】
具体的には、位置決め部品４０は、左側の縦枠２０に対しては、本体部４１及び第１位置決め部４２，４３の端面４１ｃが側面２０ａに当接し、当接面４６が正面２０ｂに当接する姿勢とし、取付片４５及びガイドポスト４８を取付穴２０ｄに挿入する。そうすると、取付片４５は、取付穴２０ｄに挿入される際に弾性変形しつつ係止突起４５ａが取付穴２０ｄの縁部を乗り越え、係止突起４５ａが正面２０ｂの裏面に係止される（図８参照）。同時に、ガイドポスト４８は、取付穴２０ｄに挿入された状態で、その本体部４１側の支持面４８ａが側面２０ａの裏面に支持される（図８参照）。その結果、位置決め部品４０は、第１位置決め部４２，４３が側面２０ａに当接配置されて側面２０ａから右側に突出し、当接面４６が正面２０ｂに当接配置されて第２位置決め部４４が正面２０ｂから前側に突出した姿勢で縦枠２０に取り付けられる（図６（Ａ）参照）。右側の縦枠２１に装着される位置決め部品４０は、左側の縦枠２０に装着される位置決め部品４０と同一部品を左右反転させたものである。この縦枠２１に対しても、上記した縦枠２０に対する取付構造と同様な取付構造で位置決め部品４０を取り付けることができる（図５参照）。
【００２７】
位置決め部品４０は、取付片４５が取付穴２０ｄ，２１ｃに対してスナップイン方式で係止されることで縦枠２０，２１に取り付けられる。このため、位置決め部品４０は、縦枠２０に対してねじ止め等の煩雑な作業が不要であるだけでなく、ねじ等の部品コストも低減される。位置決め部品４０は、ねじ止め構造としてもよい。取付片４５は、取付穴２０ｄ，２１ｃに対して圧入されて係止される構成等としてもよい。
【００２８】
次いで、縦枠２０，２１の正面２０ｂ，２１ｂに妻梁３６，３７の取付用のブラケット５２を取り付ける（図６参照）。ブラケット５２は、ステンレスやスチール等の金属板を屈曲させたＬ字形状の部材である。ブラケット５２は、Ｌ字の一辺が正面２０ｂ（２１ｂ）に対する固定板５２ａとなり、正面２０ｂ（２１ｂ）から前側に突出したＬ字の他辺が妻梁３６（３７）の取付板５２ｂとなる。固定板５２ａは、例えば上下一対のねじ５３を用いて正面２０ｂ（２１ｂ）に締結固定される。取付板５２ｂには、例えば上下一対のねじ穴５２ｃ，５２ｃが形成されている。
【００２９】
ブラケット５２は、左側の縦枠２０に対しては、取付板５２ｂが内側の側面２０ａ側に位置した取付姿勢で取り付けられる。ブラケット５２は、右側の縦枠２１に対しては、左側の縦枠２０に対する取付姿勢と左右対称の取付姿勢、つまり取付板５２ｂが内側の側面２１ａ側に位置した取付姿勢で取り付けられる。なお、ブラケット５２は、位置決め部品４０の取付前に縦枠２０，２１に取り付けておいてもよい。
【００３０】
次いで、縦枠２０，２１の下端面の小口にキャップ部品５４を装着した後、根太掛け材２４に縦枠２０，２１の側面２０ａ，２１ａを位置決めする。左側の縦枠２０は、側面２０ａに設けられた下側の第１位置決め部４３を、根太掛け材２４の上面に形成された溝部２４ａに対して上から嵌合させる（図６（Ａ）及び図６（Ｂ）参照）。これにより第１位置決め部４３が溝部２４ａに嵌合し、縦枠２０の根太掛け材２４に対する上下方向の相対位置が規制され、同時に縦枠２０の根太掛け材２４に対する前後方向の相対位置も規制される。そこで、縦枠２０を躯体３８に対してねじ５６で固定する（図８参照）。右側の縦枠２１についても左側の縦枠２０と同様であり、位置決め部品４０で根太掛け材２４に位置決めし、ねじ５６で躯体３８に固定する。なお、図５に示すように、右側の縦枠２１に用いる位置決め部品４０は、左側のものに対して左右反転している。このため、右側の縦枠２１は、側面２１ａで下側に位置した第１位置決め部４２を根太掛け材２４の溝部２４ａに嵌合して位置決めする。
【００３１】
次いで、妻梁３６，３７を縦枠２０，２１の正面２０ｂ，２１ｂに連結する。図７及び図８に示すように、妻梁３６（３７）は、その後端側の小口３６ａ（３７ａ）にブラケット５２を挿入すると共に、小口３６ａ（３７ａ）を正面２０ｂ（２１ｂ）に突き当てる。そして、妻梁３６（３７）の内側の壁部（一壁部）３６ｂ（３７ｂ）に形成された取付孔３６ｃ（３７ｃ）を通したねじ５８を取付板５２ｂのねじ穴５２ｃに締結する。これにより妻梁３６（３７）が縦枠２０（２１）の正面２０ｂ（２１ｂ）に連結される。なお、図９中の参照符号６０は、建物の外壁１１及び躯体３８に形成された開口部に取り付けられた窓等の建具の下枠である。
【００３２】
妻梁３６，３７の縦枠２０，２１に対する連結時、位置決め部品４０は、妻梁３６，３７の正面２０ｂ，２１ｂに対する位置決め機能及びガイド機能を発揮する。具体的には、例えば左側の妻梁３６は、小口３６ａをブラケット５２に挿入する際、壁部３６ｂを位置決め部品４０の第２位置決め部４４に沿って移動させる。そうすると、壁部３６ｂが第２位置決め部４４と取付板５２ｂとの間に位置決めされるため、ブラケット５２が円滑に小口３６ａ内へと挿入される。このため、妻梁３６を正面２０ｂに対して所望の左右方向位置に確実に位置決めガイドすることができ、安定して位置決めされた状態の妻梁３６をねじ５８で円滑にねじ止めすることができる。しかも第２位置決め部４４は、先端にガイド面４４ｂを有する。これにより、壁部３６ｂはガイド面４４ｂに摺接され、円滑に位置決め面４４ａと取付板５２ｂとの間に導入される。右側の妻梁３７についても左側の妻梁３６の場合と同様に、位置決め部品４０の第２位置決め部４４によって位置決めガイドすることができる。
【００３３】
当該屋外構造物１０は、以上のようにして位置決め部品４０で縦枠２０，２１と根太掛け材２４と妻梁３６，３７とが確実に位置決めされる。その結果、図８及び図９に示すように、当該屋外構造物１０は、縦枠２０，２１の側面２０ａ，２１ａと根太掛け材２４との間の上下方向での位置関係（相対位置）が第１位置決め部４２，４３で規制され、縦枠２０，２１の正面２０ｂ，２１ｂと妻梁３６，３７との間の水平方向での位置関係（相対位置）が第２位置決め部４４で規制された状態となる。つまり、１つの位置決め部品４０が、縦材である縦枠２０，２１と、第１の横材である根太掛け材２４と、第２の横材である妻梁３６，３７との間を位置決めしている。このため、位置決め部品４０の部品コストを最小限に抑えつつ、その取付作業も容易となるため、施工コストを低減できる。
【００３４】
本実施形態の場合、上記したように、左右の縦枠２０，２１を反対に設置する間違い（勝手違い）を防ぐため、各正面２０ｂ，２１ｂにそれぞれ一対の取付穴２０ｃ，２０ｄ，２１ｃ，２１ｄを設けている。このため、取付穴２０ｃ，２１ｄは、位置決め部品４０が装着されずに正面２０ｂ，２１ｂに開口している。しかしながら、これら未使用の取付穴２０ｃ，２１ｄは、正面２０ｂ，２１ｂにあるため、妻梁３６，３７の小口３６ａ，３７ａによって覆い隠される（図２及び図８参照）。その結果、未使用の取付穴２０ｃ，２１ｄが縦枠２０，２１の外観上に露出し、屋外構造物１０の外観品質を低下させることを防止できる。なお、未使用の取付穴２０ｃ，２１ｄは、そもそも縦枠２０，２１の正面２０ｂ，２１ｂに形成されているため、仮に、妻梁３６，３７で隠されない位置にあったとしても屋外構造物１０の外観上で目立つことはない。例えば左右の縦枠２０，２１の勝手違いの防止が不要な場合には、取付穴は各縦枠２０，２１にそれぞれ１つずつ設ければよく、この場合、取付穴は側面２０ａ，２１ａに設けられてもよい。
【００３５】
一方、上記した従来技術のように、位置決め部品４０を例えば縦枠２０の側面２０ａに対して取り付ける構成とした場合、左右の縦枠２０，２１の勝手違いを防ぐためにはこの側面２０ａとこれと反対側の側面とに取付穴等を形成する必要がある。このため、未使用の取付穴が屋外構造物１０の側面で開口することになり、外観品質を低下さることになる。
【００３６】
本発明に係る構造物は、縦材の側面に第１の横材が位置決めされ、前記縦材の正面に第２の横材が位置決めされた構造物であって、前記縦材に取り付けられた位置決め部品を備え、前記位置決め部品は、前記縦材の側面から突出するように設けられ、前記縦材の側面と前記第１の横材との位置関係を上下方向で規制した第１位置決め部と、前記縦材の正面から突出するように設けられ、前記縦材の正面と前記第２の横材との位置関係を水平方向で規制した第２位置決め部と、を有することを特徴とする。このような構成によれば、１つの位置決め部品で、縦材と、第１及び第２の横材とを位置決めしている。このため、位置決め部品の部品コストを最小限に抑えつつ、その取付作業も容易となるため、施工コストを低減できる。
【００３７】
前記位置決め部品は、前記縦材に形成された取付穴に対して挿入され、係止された取付片を有する構成としてもよい。そうすると、位置決め部品は、縦材に対してねじ止め等の煩雑な作業が不要であるだけでなく、ねじ等の部品コストも低減される。
【００３８】
前記縦材及び前記第２の横材は、左右一対設けられており、前記第１の横材は、前記左右一対の縦材の互いに対向する側面間に亘って設けられており、前記左右一対の第２の横材のうちの一方は、前記左右一対の縦材のうちの一方の正面に位置決めされると共に、前記左右一対の第２の横材のうちの他方は、前記左右一対の縦材のうちの他方の正面に位置決めされており、前記取付穴は、各縦材の正面の左右端部にそれぞれ形成されることで、各縦材にそれぞれ一対形成されており、前記位置決め部品は、各縦材に形成された前記一対の取付穴のうち、前記第１の横材が位置決めされた側面側に位置した取付穴に対して選択的に取り付けられた構成としてもよい。そうすると、１種類の縦材を左右のいずれに用いても、位置決め部品を所望の取付穴に装着することができる。このため、左右の縦材を互いに取り違えるような間違いを防ぐことができる。
【００３９】
前記一対の取付穴のうち、前記位置決め部品が取り付けられていない取付穴は、前記第２の横材によって覆われた構成としてもよい。そうすると、未使用の取付穴が当該構造物の外観上に露出し、その外観品質を低下させることを確実に防止できる。
【００４０】
前記縦材の正面には、該正面から突出したブラケットが設けられており、前記第２の横材は、その小口に前記ブラケットが挿入された状態で、該ブラケットに対してねじ止めされており、前記第２位置決め部と前記ブラケットとの間となる位置に、前記第２の横材の一壁部が配置された構成としてもよい。そうすると、第２の横材は、その一壁部が第２位置決め部とブラケットの間に挟まれた状態でより確実に且つ安定して位置決めされる。
【００４１】
前記第２位置決め部の先端部には、該第２位置決め部の前記正面からの突出方向に向かって次第に前記一壁部から離間する方向へと傾斜した傾斜面が設けられた構成としてもよい。そうすると、第２の横材は、その小口をブラケットに挿入する際、その一壁部が傾斜面を介して円滑に第２位置決め部とブラケットの間に導入されるため、施工時に第２の横材をより確実に位置決めしつつその挿入位置をガイドすることができる。
【００４２】
当該構造物は、建物の外壁から張り出すように設けられ、内部空間が屋根材と囲い材とで屋外から仕切られた屋外構造物であり、前記第１の横材は、前記建物に対して固定される根太掛け材であり、前記第２の横材は、前記縦材の正面から突き出すように設けられた妻梁であってもよい。そうすると、低コストで、屋外構造物の縦材と根太掛け材と妻梁とを確実に位置決めして取り付けることができる。
【００４３】
また、本発明に係る位置決め部品は、側面に第１の横材が位置決めされ、正面に第２の横材が位置決めされる縦材に取り付けて用いられる位置決め部品であって、前記縦材に取り付けた場合に、前記縦材の側面から突出するように設けられ、前記縦材の側面と前記第１の横材との位置関係を上下方向で規制可能な第１位置決め部と、前記縦材に取り付けた場合に、前記縦材の正面から突出するように設けられ、前記縦材の正面と前記第２の横材との位置関係を水平方向で規制可能な第２位置決め部と、を有することを特徴とする。このような構成によれば、１つの位置決め部品で、縦材と、第１及び第２の横材とを位置決めすることができ、施工コストを低減できる。
【００４４】
なお、本発明は、上記した実施形態に限定されるものではなく、本発明の主旨を逸脱しない範囲で自由に変更できることは勿論である。
【００４５】
例えば上記実施形態では、縦枠２０，２１と根太掛け材２４と妻梁３６，３７とを位置決め部品４０で位置決めした構造を例示した。しかしながら、位置決め部品４０は、他の部材の取付部に用いても勿論よく、例えば柱２６，２７と桁３０と妻梁３６，３７との取付部等に用いてもよい。
【符号の説明】
【００４６】
１０  屋外構造物、１１  外壁、２０，２１  縦枠、２０ａ，２１ａ  側面、２０ｂ，２１ｂ  正面、２０ｃ，２０ｄ，２１ｃ，２１ｄ  取付穴、２４  根太掛け材、３６，３７  妻梁、３６ａ，３７ａ  小口、３６ｂ，３７ｂ  壁部、３８  躯体、４０  位置決め部品、４２，４３  第１位置決め部、４４  第２位置決め部、４４ａ  位置決め面、４４ｂ  ガイド面、４５  取付片、４５ａ  係止突起、５２  ブラケット
【図１】
2020060039.tif 000003
【図２】
2020060039.tif 000004
【図３】
2020060039.tif 000005
【図４】
2020060039.tif 000006
【図５】
2020060039.tif 000007
【図６】
2020060039.tif 000008
【図７】
2020060039.tif 000009
【図８】
2020060039.tif 000010
【図９】
2020060039.tif 000011